(57)【要約】【課題】原稿台ガラス上に設けられた光触媒層の効果を、最大限有効活用する。【解決手段】付着物に照射される原稿照明用光源２０４からの光量を増加させるとともに、付着物と接触する原稿搬送装置２の原稿搬送ベルト７を駆動させる光触媒効果促進シーケンスを設けることによって、付着物を分解、もしくは分解の効果を促進し、清掃の容易性を向上させるとともに、付着物の移動を自動的に行なう。【選択図】図６
2008067038.tif 000002
【特許請求の範囲】
【請求項１】
原稿が載置される原稿台ガラスと、
該原稿台ガラス上の原稿を押える原稿押え手段と、
原稿台ガラス上の原稿に光を照射する原稿照明用光源とを備え、
該原稿照明用光源によって照明された原稿の画像光を読取手段に結像して読取る画像読取装置において、
前記原稿台ガラス及び原稿押え手段の押え面の少なくとも一方に光触媒層を有し、
原稿画像を読取る画像読取シーケンスとは別に前記光触媒層に光を照射して光触媒効果を高める光触媒効果促進シーケンスを実行する制御手段を設けたことを特徴とする画像読取装置。
【請求項２】
前記原稿押え手段は、原稿を原稿台ガラス上に搬送し読取り位置にて原稿を押える原稿押え部材を有する原稿搬送装置であり、該原稿押え部材に光触媒層が設けられたことを特徴とする請求項１に記載の画像読取装置。
【請求項３】
画像読取り領域の付着物を検出する付着物検出手段を有し、付着物を検出したら前記制御手段により光触媒効果促進シーケンスを実行することを特徴とする請求項１又は２に記載の画像読取装置。
【請求項４】
光触媒効果促進シーケンスは、光触媒層に対して前記原稿照明用光源により照射される光の照度を、画像読取り時よりも強くすることを特徴とする請求項１、２又は３に記載の画像読取装置。
【請求項５】
前記原稿照明用光源が原稿に対して移動走査する移動光学系に設けられる構成で、
光触媒効果促進シーケンスは、前記原稿照明用光源が点灯された移動光学系の移動速度を画像読取り時よりも遅くしたことを特徴とする請求項１乃至４のいずれかの項に記載の画像読取装置。
【請求項６】
光触媒効果促進シーケンスは、前記原稿照明用光源によって光を照射しながら、前記原稿搬送装置の前記原稿押さえ部材を駆動することを特徴とする請求項２に記載の画像読取装置。
【請求項７】
前記原稿照明用光源とは別に、前記光触媒層に有効な波長を発生する光触媒専用光源を設けたことを特徴とする請求項１乃至６のいずれかの項に記載の画像読取装置。
【請求項８】
前記光触媒専用光源による光照射を制御する光触媒専用光源制御手段を有し、該光触媒専用光源制御手段によって前記光触媒専用光源による照度を変更可能としたことを特徴とする請求項７に記載の画像読取装置。
【請求項９】
光触媒効果促進シーケンスは、付着物の大きさに応じて制御を変更可能としたことを特徴とする請求項３に記載の画像読取装置。
【請求項１０】
請求項１乃至８による画像読取装置を有する画像形成装置。
【発明の詳細な説明】
【技術分野】
【０００１】
本発明は、スキャナ等の画像読取装置に関し、詳細には、原稿台ガラス上に付着した汚れを除去する清掃効果を高めた画像読取装置及びそれを備えた画像形成装置に関する。
【背景技術】
【０００２】
スキャナ等の画像読取装置においては、その使用状態に応じて、埃や塵、あるいは原稿作成で使用した糊、修正液等が付着していると、それらの一部が原稿台ガラスに再付着する場合がある。また、作業者の手が原稿台ガラスの上面に触れた場合に、手の皮脂等が原稿台ガラスの上面に付着する場合もある。このような場合には、良好な画像情報が得られないことがある。
【０００３】
そこで、従来から、原稿台ガラス表面、あるいは対向する原稿押さえ手段に光触媒層を設け、原稿照明装置もしくは紫外線照射光源によって、汚れを浮き上がらせ清掃効果をあげることが提案されている（例えば、特許文献１参照）。
【０００４】
また、特許文献２には、これら付着した原稿台ガラス上面読取り位置の汚れを検知し、読取り位置を変更する装置について開示されている。
【特許文献１】特開平１０−２５４０７６号公報
【特許文献２】特開２００２−１８５７０５号公報
【発明の開示】
【発明が解決しようとする課題】
【０００５】
しかしながら上記特許文献１の画像読取装置では、光触媒に対して一定の光量を与えるものであり、光触媒の効果を十分生かせなかった。
【０００６】
また、光触媒によって、ゴミ（以下、付着物と称する）を浮き上がらせることはできても、付着物の除去は原稿台ガラスの清掃に頼っていたため、自動的に付着物を移動させることが困難であった。
【０００７】
本発明は、上記の問題点を解消するためになされたもので、その目的は、光触媒の効果を上げるとともに、清掃回数を低減できる画像読取装置及び画像形成装置を提供することにある。
【課題を解決するための手段】
【０００８】
上記目的を達成するために、本発明の画像読取装置は、
原稿が載置される原稿台ガラスと、
該原稿台ガラス上の原稿を押える原稿押え手段と、
原稿台ガラス上の原稿に光を照射する原稿照明用光源とを備え、
該原稿照明用光源によって照明された原稿の画像光を読取手段に結像して読取る画像読取装置において、
前記原稿台ガラス及び原稿押え手段の押え面の少なくとも一方に光触媒層を有し、
原稿画像を読取る画像読取シーケンスとは別に光触媒層に光を照射して光触媒効果を高める光触媒効果促進シーケンスを実行する制御手段を設けたことを特徴とする。
また、本発明の画像形成装置は、上記画像読取装置を有する構成となっている。
【発明の効果】
【０００９】
本発明の画像読取装置によれば、画像読取シーケンスとは異なる光触媒効果促進シーケ
ンスを設けることによって、付着物を分解、もしくは分解機能を促進し、清掃の容易性をあげることが可能である。
【発明を実施するための最良の形態】
【００１０】
以下に、本発明に係る画像読取装置及び画像形成装置の実施例について、図面を参照して詳細に説明する。
【００１１】
図１は本発明の実施例に係る画像読取装置を示し、図２は図１の画像読取装置を備えた画像形成装置を示している。図３及び図５は本発明の実施例に係る原稿搬送装置の各部の構成及びブロック図である。図示例の画像形成装置は、複写機／ファクシミリ／プリンタの機能を兼ね備えた装置で、床面上に設置した状態で使用されるように構成されている。
【００１２】
図２において、１００は画像形成装置全体を示すもので、この画像形成装置１００は、画像読取装置を構成する画像読取部２００、画像形成部３００及び画像形成装置の動作モードを設定する操作部４９とから構成される。
【００１３】
画像読取部２００は、原稿Ｄが載置される原稿台ガラス２０５と、原稿台ガラス２０５を覆う原稿押え手段を構成する原稿搬送装置２と、原稿台ガラス２０５上の原稿照明用光源２０４とを備える。画像読取部２００は、原稿照明用光源２０４によって照明された原稿Ｄの画像光を読取手段としてのイメージセンサ２０８に結像して読取るようになっている。原稿照明用光源２０４には、たとえば、ハロゲンランプ，蛍光灯あるいはキセノンランプ等が使用されるが、これらのランプに限定されるものではない。
【００１４】
原稿Ｄの画像光は、複数のミラー２１１，２１２，２１３によって折り返され、結像レンズ２０７を介してイメージセンサ２０８上に結像される。原稿台ガラス２０５直下のミラー２１１は移動光学系であるスキャナユニット２０６として原稿照明用光源２０４と共に原稿台ガラス２０５上の原稿Ｄを走査する。
【００１５】
原稿搬送装置２は、図３に詳細に示すように、原稿Ｄを原稿台ガラス２０５上に搬送し読取り位置にて原稿を押える原稿押え部材としての原稿搬送ベルト７を有している。原稿搬送ベルト７は駆動ローラ３８及びターンローラ３７に巻回され、上方の原稿トレイ４上に載置されるシート原稿Ｄを、順次その最上紙から分離し、画像読取部２００の原稿台ガラス２０５に搬送する構成となっている。
【００１６】
原稿搬送ベルト７は、原稿台ガラス２０５上に当接して、原稿トレイ４から搬送されたシート原稿Ｄを、ベルトモータ１０２をオンすることで、原稿台ガラス２０５上の所定位置に載置したり、原稿台ガラス２０５上のシート原稿を排紙トレイ１０上に搬出する。
【００１７】
本構成による原稿搬送装置の動作については、たとえば特開平１１−３４６２９４号公報にて周知であり、その詳細な動作説明等は省略する。
【００１８】
画像読取部２００は、操作部４９で設定されたモードに応じて動作を開始する。画像読みモードとしては、原稿固定読みモードと原稿流し読みモードの２種類のモードがある。原稿固定読みモードでは、次のように動作する。
【００１９】
まず、原稿搬送装置２の開閉状態が、図２に示す開閉検知センサ２０９によって確認される。すなわち、原稿搬送装置２が画像読取部２００上に閉じられた状態かどうかが確認される。閉じられた状態であれば、原稿トレイ１０５上にセットされた原稿Ｄを先頭頁から順に一枚ずつ給紙し、原稿台ガラス２０５上への搬送停止後、原稿照明用光源２０４を点灯し、スキャナユニット２０６を左から右へ移動させることにより、原稿Ｄの読取りを
行う。その後、排紙トレイ１０へ排出する。
【００２０】
このように原稿台ガラス２０５上に搬送固定された原稿Ｄを、スキャナユニット２０６を移動して読取るモードを原稿固定読みモードと称する。
【００２１】
これに対して、原稿トレイ１０５上にセットされた原稿Ｄを先頭頁から順に一枚ずつ給紙し、原稿台ガラス２０５上を搬送しながら、スキャナユニット２０６を所定位置に固定して、原稿Ｄの読取りを行うモードを原稿流し読みモードと称する。
【００２２】
画像読取部２００のレンズ２０７を介してイメージセンサ２０８により読取られた原稿の画像は、画像処理されてハードディスクに格納されるとともに、画像形成部３００に送られる。
【００２３】
画像形成部３００には、いわゆる静電プロセスによって画像を形成する感光ドラム３０６と、感光ドラム３０６表面に露光する露光制御部３０５が設けられている。露光制御部３０５は、画像信号に応じたレーザー光を出力する。このレーザー光は、感光ドラム３０６に照射され、感光ドラム３０６上に静電潜像が形成される。感光ドラム３０６上の静電潜像は現像器３０７により現像され、感光ドラム３０６上の現像剤はカセット３０８、３０９、手差し給紙部３１０、両面搬送パス３１１のいずれかから給送されたシートＳに転写部３１２で転写される。現像剤が転写されたシートＳは定着部３１３で現像剤の定着処理が施される。
【００２４】
定着部３１３を通過したシートＳは、図示しないフラッパにより、一旦、パス３１５からパス３１４に導かれ、シートＳの後端がパス３１５を抜けた後に、シートＳをスイッチバックさせて、パス３１６から排出ローラ３１７へ導く。これにより、現像剤が転写された面を下向きの状態（フェイスダウン）で排出ローラ３１７により画像形成部３００から排出される。
【００２５】
上記画像読取部２００において、原稿Ｄの原稿台ガラス２０５への載置、搬送を繰り返し行うと、原稿台ガラス２０５の上面には、原稿Ｄに付着している糊，接着剤，修正液や、作業者の手の皮脂が付着する。流し読みモードでは読取り位置が固定されるため、このような付着物が読取り位置に付着していると画像が読み取れず、黒スジ等の原因となる。そこで、原稿台ガラス２０５は、その上面にＴｉＯ２（二酸化チタン）等で構成された光触媒層２１０が設けられ、画像読取り中も含めて、光が照射されることで、酸化分解によってゴミの分解が行なわれる。
【００２６】
また、原稿台ガラス２０５に当接する原稿搬送ベルト７の表面にも、原稿台ガラス２０５と同様に光触媒層１５０を有している（図１参照）。原稿Ｄを搬送しない状態では、原稿照明用光源２０４からの光によって、接触する原稿台ガラス２０５上のゴミを酸化分解することが可能な構成となっている。
【００２７】
本発明は、これらの光触媒層２１０，１５０の触媒機能を効果的に働かせるために、読取シーケンスとは別に、光触媒層２１０，１５０の効果を高めるための光触媒効果促進シーケンスを設け、この光触媒効果促進シーケンスを適宜実行するものである。
【００２８】
図４に上述の装置を制御するブロック図を示す。
【００２９】
ＣＰＵ回路部４００はＣＰＵ４０１を有し、ＲＯＭ４０２に格納されているプログラムに基づき、操作部４９の設定に従って、原稿搬送装置制御部５００、読取り制御部２０１、画像信号制御部４０５、画像形成制御部３０１、外部Ｉ／Ｆ４０６を制御する。それぞ
れ、原稿搬送装置制御部５００は原稿搬送装置２を、読取り制御部２０１は画像読取部２００を、画像形成制御部３０１は画像形成部３００を制御する。
【００３０】
読取り制御部２０１は、ＣＰＵ回路部４００で実行される読取シーケンスのプログラムに基づいて各センサ，駆動系を制御して画像読取を行う。また、読取り制御部２０１は、読取シーケンスとは別に、ＣＰＵ回路部４００で実行される光触媒効果促進プログラムに基づいて各センサ、駆動系を制御し、光触媒層２１０，１５０の効果を促進させる光触媒効果促進シーケンスを実行する。光触媒効果促進シーケンスのプログラムはＲＯＭ４０２等のメモリに格納され、ＣＰＵ４０１で実行されるので、光触媒効果促進シーケンスを実行する制御手段は、ＣＰＵ回路部４００と読取制御部２０１を含めた手段である。
【００３１】
光触媒効果促進シーケンスの実行は、読取動作がなされていない状態で、開閉検知センサ２０９の情報に基づいて原稿搬送装置２の開閉状態を確認してなされる。すなわち、原稿開閉装置２が閉じている状態で、読取り制御部２０１が光源用電源２０２を制御することで、原稿照明用光源２０４の光量について、光触媒の効果を高めるように調整することができる。
【００３２】
さらに、読取り制御部２０１は、前記黒スジの原因となる付着物を検出するために、原稿流し読みモードを起動して、原稿搬送装置制御部５００によって、原稿搬送ベルト７を回転しながら、画像読取り動作を行う。そして、画像のレベルが変化しない点（特に黒から変化しない点）を検出することで、付着物の有無を検出することができる。このレベルの変化はＣＰＵ回路部４００で演算処理することにより判別するので、ＣＰＵ回路部４００と読取り制御部２０１が画像読取り領域の付着物を検出する付着物検出手段を構成する。
【００３３】
ＲＡＭ４０３は制御データを一時的に保持する領域や、制御に伴う演算の作業領域として用いられる。外部Ｉ／Ｆ４０６はコンピュータ４０７からのインターフェイスであり、プリントデータを画像に展開して画像信号制御部４０５へ出力する。
【００３４】
読取制御部２０１から画像信号制御部４０５へは、イメージセンサ２０８で読取られた画像が出力され、画像信号制御部４０５から画像形成制御部３０１へ出力された画像は露光制御部３０５へ入力される。
【００３５】
（実施例１）
次に、本発明に係る光触媒効果促進シーケンスについて、詳しく説明する。図６は本発明による第１の実施例を示すフローチャートである。
【００３６】
この第１実施例では、光触媒層２１０，１５０に対して原稿照明用光源２０４により照射される光の照度を、画像読取り時よりも強くするものである。
【００３７】
原稿台ガラス２０５上に付着した付着物を除去するためには、まず、画像読取装置２００の読取り待機時、すなわち、原稿の読取りを行っていないことを確認する（Ｓ６０１）。
【００３８】
原稿読取り動作が行なわれていないことを確認したら、原稿搬送装置２を閉じた状態で、原稿照明用光源２０４を点灯するように読取り制御部２０１が光源用電源２０２を制御する（Ｓ６０２）。そして、原稿照明用光源２０４の光を原稿台ガラス２０５と原稿搬送装置２の原稿搬送ベルト７の光触媒層２１０，１５０に照射する。照射時間は例えば３０秒をセットし（Ｓ６０３）、この時間、原稿照明用光源２０４によるランプ光量を画像読取り時よりも強く照射するように読取り制御部２０１が光源用電源２０２を制御する（Ｓ
６０４）。
【００３９】
さらに、移動光学系であるスキャナユニット２０６を移動することで原稿台ガラス２０５上全面に光を照射する（Ｓ６０５）。これによって光触媒層２１０，１５０に接している付着物の酸化分解はさらに促進され、乾いた布で拭きとる程度で容易に除去することができる。また、軽い皮脂汚れは、略完全に酸化分解されてしまう。３０秒が経過したら（Ｓ６０６）、原稿照明用光源２０４を消灯し、光学系の駆動も停止して（Ｓ６０７）,シ
ーケンスを終了する。
【００４０】
したがって、原稿台ガラス２０５の上面において、皮脂汚れの付着物は、光触媒層２１０の光触媒反応によって略完全に酸化分解される。また、糊，接着剤，修正液等の付着物は、原稿台ガラス２０５の上面を拭きとることによって容易に除去されるので、原稿台ガラス２０５の上面を容易に清掃できるとともに、清掃回数を低減できる。また、原稿台ガラス３の上面の付着物が略完全に除去されるので、良好な画像情報を得ることができる。また、使用状況に応じて、前記原稿照明用光源２０４によるランプ照射時間の設定を変更することで、光触媒の効果をより高めることができる。
【００４１】
（実施例２）
次に光触媒効果促進シーケンスの第２の実施例について、図７のフローチャートを用いて説明する。
【００４２】
この実施例は、原稿照明用光源２０４が点灯されたスキャナユニット２０６の移動速度を画像読取り時よりも遅くしたものである。
【００４３】
まず、第１の実施例と同様に、画像読取装置２００の読取り待機時、すなわち、原稿Ｄの読取りを行っていないことを確認する（Ｓ６１１）。原稿読取り動作が行なわれていないことを確認したら、原稿搬送装置２を閉じた状態で、原稿照明用光源２０４を点灯するように読取り制御部２０１が光源用電源２０２を制御し（Ｓ６１２）、光触媒層２１０，１５０に照射する。照射時間は第１の実施例同様任意の時間として３０秒をセットする（Ｓ６１３）。読取り制御部２０１は、この時間、原稿照明用光源２０４からの光が画像読取り時よりも長く照射されるように光学系のスキャナユニット２０６の駆動速度を画像読取時よりも遅く低速に設定し、スキャナユニット２０６を駆動するように制御する（Ｓ６１４）。これによって光触媒層２１０，１５０では、光触媒層２１０，１５０に接している付着物の酸化分解がさらに促進される。３０秒が経過したら（Ｓ６１５）、読取り制御部２０１が、原稿照明用光源２０４を消灯し、スキャナユニット２０６の駆動も停止して（Ｓ６１６）,シーケンスを終了する。
【００４４】
この制御によって、ランプ光量を画像読取り時と同一に設定した状態であっても、照射光量が長くなるため、より光触媒効果が促進される。
【００４５】
（実施例３）
次に第３の実施例について、図８のフローチャートを用いて説明する。
【００４６】
この実施例は、原稿照明用光源２０４によって光を照射しながら、原稿搬送ベルト７を駆動するようにしたものである。
【００４７】
すなわち、第１の実施例同様に画像読取装置２００が原稿Ｄの読取りを行っていないことを確認する（Ｓ６２１）。そして、原稿搬送装置２を閉じた状態で、原稿照明用光源２０４を点灯するように読取り制御部２０１が光源用電源２０２を制御し（Ｓ６２２）、光触媒層２１０，１５０に照射する。照射時間は第１の実施例同様、任意の時間として３０
秒をセットし（Ｓ６２３）、この間、光学系のスキャナユニット２０６を移動することで原稿台ガラス２０５の全面に光を照射する（Ｓ６２４）。これによって光触媒層２１０，１５０では、光触媒層２１０，１５０に接している付着物の酸化分解が促進され、容易に付着物を除去可能な状態となる。そこで、原稿搬送装置２の原稿搬送ベルト７を同時に駆動することで（Ｓ６２５）、酸化分解された付着物は原稿搬送ベルト７とともに搬送され、容易に画像読取部２００から除去される。３０秒が経過したら（Ｓ６２６）、読取り制御部２０１は、原稿照明用光源２０４を消灯し、スキャナユニット２０６の駆動も停止して（Ｓ６２７）,シーケンスを終了する。
【００４８】
原稿搬送ベルト７の駆動は、必ずしも毎回駆動する必要はなく、定期的に駆動することでも効果が得られる。また上記説明では、原稿照明用光源２０４の照射光量について詳細に説明しなかったが、画像読取り時よりも強く照射しても問題はない。
【００４９】
以上の実施例では、原稿照明用光源２０４の照射光量、スキャナユニット２０６の駆動速度、さらに、原稿搬送装置の原稿搬送ベルト７駆動を別々に説明したが、それぞれ複数組み合わすことで、より効果を上げることも可能である。
【００５０】
（実施例４）
次に、第４の実施例について、図９のフローチャートを用いて説明する。
【００５１】
第１の実施例同様に画像読取装置が原稿の読取りを行っていないことを確認する（Ｓ６３１）。そして、原稿搬送装置２を閉じた状態で、原稿照明用光源２０４を点灯するように読取り制御部２０１が光源用電源２０２を制御し（Ｓ６３２）、光触媒層２１０，１５０に照射する。照射時間は第１の実施例同様任意の時間として３０秒をセットする（Ｓ６３３）。
【００５２】
前述のように原稿流し読みモードにおいて、読取り位置に付着物があると、読取り画像に黒スジが発生する。この原因となる付着物を検出した場合には（Ｓ６３４、Ｓ６３５）、読取り位置に原稿照明用光源２０４を移動し、画像読取り時よりも強い光量でランプを点灯するように読取り制御部２０１が制御する。画像データから付着物の大きさが算出可能であり、この算出されたデータに基づいて、例えば検出された付着物の大きさが大きい場合にはランプ光量を最大とするように読取り制御部２０１が光源用電源２０２を制御し（Ｓ６３６）。小さかった場合は、読取り制御部２０１が、画像読取り時よりは強く、最大ではないランプ光量に設定する（Ｓ６３７）。
【００５３】
付着物が検出されなかった場合は、画像読取り時と同一のランプ光量に設定され、その状態で読取り制御部２０１が原稿搬送装置２の原稿搬送ベルト７を駆動するように制御する（Ｓ６３８）。これによって、付着物は酸化分解が促進されるとともに、第３の実施例同様に付着物の除去が可能となる。３０秒が経過したら（Ｓ６２９）、読取り制御部２０１は、ランプを消灯し、光学系の駆動も停止して（Ｓ６４０）,シーケンスを終了する。
【００５４】
また、このとき、付着物の大きさに応じて原稿搬送ベルト７の駆動速度を変更することも可能であるとともに、タイマでセットされる時間についても、ゴミの大きさで変更することも可能である。
【００５５】
第１乃至第４の実施例において、原稿照明用光源２０４は、光触媒を充分に活性化する紫外線に近い波長の光を充分に照射することが困難であるため、効果を得るためには若干時間を要する。そこで、原稿照明用光源２０４とは別の光触媒専用光源２０３を設けることも可能である。
【００５６】
この光触媒専用光源２０３は、図２に示すように画像読取装置２００の内部において、原稿照明用光源２０４及びスキャナユニット２０６が移動しても、干渉しない位置に配設されている。この光源２０３には、安全性を考慮して近紫外線のブラックライト等でも問題ない。紫外線光源２０３は、図示しない光触媒専用光源制御手段としての紫外線発生光源制御手段に接続され、この紫外線発生光源制御手段によってその点灯光量を制御される。
【００５７】
また、安全性を考慮して、原稿搬送装置２が閉じている状態で、紫外線発生光源２０３が灯されるように制御されてもよい。
【図面の簡単な説明】
【００５８】
【図１】（ａ）は本発明に係る原稿搬送装置を開いた状態の画像読取装置を示した図、（ｂ）は本発明に係る原稿搬送装置を備えた画像読取装置の断面構成を示した図。
【図２】本発明に係る画像形成装置の構成を示した図。
【図３】本発明に係る原稿搬送装置の各部の構成を示した図。
【図４】本発明に係る画像形成装置の各部の回路構成を示したブロック図。
【図５】本発明に係る原稿搬送装置の各部の回路構成を示したブロック図。
【図６】本発明に係る画像読取装置の光触媒効果促進シーケンスを示す第１の実施例のフローチャート。
【図７】本発明に係る画像読取装置の光触媒効果促進シーケンスを示す第２の実施例のフローチャート。
【図８】本発明に係る画像読取装置の光触媒効果促進シーケンスを示す第３の実施例のフローチャート。
【図９】本発明に係る画像読取装置の光触媒効果促進シーケンスを示す第４の実施例のフローチャート。
【符号の説明】
【００５９】
２              ：原稿搬送装置
７              ：原稿搬送ベルト
４９            ：操作部
１０２          ：ベルトモータ
５００          ：原稿搬送装置制御部
２００          ：画像読取部（画像読取装置）
２０１          ：画像読取り制御部（制御手段）
２０２          ：光源用電源
２０３          ：光触媒専用光源
２０４          ：原稿照明用光源
２０５          ：原稿台ガラス
２０６          ：スキャナユニット（光学系）
１５０、２１０  ：光触媒層（二酸化チタン等）
２０９          ：原稿搬送装置開閉検出センサ
３００          ：画像形成部
３０１          ：画像形成制御部
４００          ：ＣＰＵ回路部（制御手段）
４０１          ：ＣＰＵ
４０５          ：画像信号制御部
４０６          ：外部Ｉ／Ｆ
４０７          ：外部コンピュータ
４１３          ：ハードディスク
【図１】
2008067038.tif 000003
【図２】
2008067038.tif 000004
【図３】
2008067038.tif 000005
【図４】
2008067038.tif 000006
【図５】
2008067038.tif 000007
【図６】
2008067038.tif 000008
【図７】
2008067038.tif 000009
【図８】
2008067038.tif 000010
【図９】
2008067038.tif 000011